(57)【要約】【課題】容器から物品を振り出して取り出す際の開閉操作や取り出し操作における操作性を向上させるとともに、容易な操作によって、確実に一定量の物品を取り出すことができる計量容器を提供することにある。【解決手段】矩形状部の一辺に半円形状部を備えた底板１上面に略五角形状収納室７と、該収納室７と開口部６ａにて連通し、半円形状部の周端に沿って半円周の１／２周分の切欠部７ａを設けた円形状装填室９とを備えた容器部Ａと、定量取り出し用切欠部２４と回転用摘み部２５とを備え前記装填室９内に回転用摘み部２５を前記切欠部７ａ内に嵌装して回転中心Ｏにて回転可能に装填される計量取出回転部Ｂと、前記底板１と同一形状の天板３１面下に半円形状部の周端に沿って半円周の１／２周分の切欠部３５ａを設け、該天板３１に貫設した取出孔部３６を備えた容器部Ａを施蓋する蓋部Ｃとからなる。【選択図】図１
2004359316.tif 000002
【特許請求の範囲】
【請求項１】
矩形状部とその一辺に半円形状部とを備えた底板１面上の矩形状部の周端に沿って立設した三方の側壁板２、３、４と半円形状部の周端に沿って半円の１／２周分の切欠部７ａを設けて立設した円弧状側壁板５と、該三方の側壁板２、３、４のうち対向する一対の側壁板２、４の内側から外側に向かってハの字型に狭幅の開口部６ａを設けて立設した側壁板６とからなる略五角形状収納室７と、該底板１面上の矩形状部に前記収納室７の外側に隣接して半円形状部の半円中心を中心Ｏとして前記円弧状側壁板５に面一に連続して立設した円形状側壁板８からなり前記開口部６ａにて収納室７と連通する円形状装填室９とを備えた容器部Ａと、定量取り出し用切欠部２４と回転用摘み部２５とを備え前記円形状装填室９内に回転用摘み部２５を前記切欠部７ａ内に嵌装して回転中心Ｏにて回転可能に装填される計量取出回転部Ｂと、前記底板１と同一形状の天板３１面下の矩形状部の周端に沿って立設した三方の側壁板３２、３３、３４と半円形状部の周端に沿って半円の１／２周分の切欠部３５ａを設けて立設した円弧状側壁板３５と天板３１の矩形状部と半円形状部との間に貫設した取出孔部３６を備えた容器部Ａを施蓋する蓋部Ｃとからなり、容器部Ａの収納室７内に内容物を収納し円形状装填室９内に回転部Ｂを装填して容器部Ａを蓋部Ｃにて施蓋して組み立てられていることを特徴とする計量容器。
【請求項２】
前記容器部Ａのそれぞれ側壁板のうちのいずれかの側壁板の外面と該側壁板の外面に対応する蓋部Ｃの側壁板の内面との１乃至複数個所に施蓋係止用の凹凸係合部１０を設けたことを特徴とする請求項１記載の計量容器。
【請求項３】
前記容器部Ａの底板１と円弧状側壁板５と円形状側壁板８と蓋部Ｃの天板３１とにより形成される円形状装填室９と該円形状装填室９内に装填される計量取出回転部Ｂとの回転摺接界面に、回転停止用の凹凸係合部を設けたことを特徴とする請求項１又は請求項２記載の計量容器。
【請求項４】
前記容器部Ａの底板１上面又は／及び蓋部Ｃの天板３１下面の半円中心Ｏに支軸部１１を備え、計量取出回転部Ｂの中心部に前記支軸部１１を嵌挿する軸受孔２２を備えることを特徴とする請求項１乃至請求項３のいずれか１項記載の計量容器。
【発明の詳細な説明】
【０００１】
【発明の属する技術分野】
本発明は、粒状又は粉状の医薬品や医薬部外品、菓子や調味料等の食料品、その他の粒状又は粉状の内容物を収納包装し、定量の取り出しが可能な計量容器に関する。
【０００２】
【従来の技術】
従来から、容器内の粒状物品を使用時に振り出すことができ、繰り返し同様の動作によって取り出し可能な振り出し容器としては、ヒンジ開閉式やスライド開閉式の取り出し口を片手指でワンタッチにて簡単に開放して、所望量の物品を取り出すことができる容器が多用されている。
【０００３】
しかしながら、従来の振り出し容器は、ヒンジ開閉式やスライド開閉式であるために、手指によるヒンジ開閉回転量やスライド開閉移動量が多く、開閉操作や取り出し操作におけるより良い操作性が望まれており、また、物品を定量ずつ取り出す機構が付いていないため、使用時に一定量の物品のみを取り出すことができず、物品を取り出し過ぎて物品を無駄に使ってしまったり、物品をまた容器内に戻す操作が必要であったりして、振り出す操作に慎重さを必要としていた。
【０００４】
【発明が解決しようとする課題】
本発明は、容器から物品を振り出して取り出す際の開閉操作や取り出し操作における操作性を向上させるとともに、容易な操作によって、確実に一定量の物品を取り出すことができる計量容器を提供することにある。
【０００５】
【課題を解決するための手段】
本発明の請求項１に係る発明は、矩形状部とその一辺に半円形状部とを備えた底板１面上の矩形状部の周端に沿って立設した三方の側壁板２、３、４と半円形状部の周端に沿って半円の１／２周分の切欠部７ａを設けて立設した円弧状側壁板５と、該三方の側壁板２、３、４のうち対向する一対の側壁板２、４の内側から外側に向かってハの字型に狭幅の開口部６ａを設けて立設した側壁板６とからなる略五角形状収納室７と、該底板１面上の矩形状部に前記収納室７の外側に隣接して半円形状部の半円中心を中心Ｏとして前記円弧状側壁板５に面一に連続して立設した円形状側壁板８からなり前記開口部６ａにて収納室７と連通する円形状装填室９とを備えた容器部Ａと、定量取り出し用切欠部２４と回転用摘み部２５とを備え前記円形状装填室９内に回転用摘み部２５を前記切欠部７ａ内に嵌装して回転中心Ｏにて回転可能に装填される計量取出回転部Ｂと、前記底板１と同一形状の天板３１面下の矩形状部の周端に沿って立設した三方の側壁板３２、３３、３４と半円形状部の周端に沿って半円周の１／２周分の切欠部３５ａを設けて立設した円弧状側壁板３５と天板３１の矩形状部と半円形状部との間に貫設した取出孔部３６を備えた容器部Ａを施蓋する蓋部Ｃとからなり、容器部Ａの収納室７内に内容物を収納し円形状装填室９内に回転部Ｂを装填して容器部Ａを蓋部Ｃにて施蓋して組み立てられていることを特徴とする計量容器である。
【０００６】
本発明の請求項２に係る発明は、上記請求項１に係る計量容器において、前記容器部Ａのそれぞれ側壁板のうちのいずれかの側壁板の外面と該側壁板の外面に対応する蓋部Ｃの側壁板の内面との１乃至複数個所に施蓋係止用の凹凸係合部１０を設けたことを特徴とする計量容器である。
【０００７】
本発明の請求項３に係る発明は、上記請求項１又は請求項２に係る計量容器において、前記容器部Ａの底板１と円弧状側壁板５と円形状側壁板８と蓋部Ｃの天板３１とにより形成される円形状装填室９と該円形状装填室９内に装填される計量取出回転部Ｂとの回転摺接界面に、回転停止用の凹凸係合部を設けたことを特徴とする計量容器である。
【０００８】
本発明の請求項４に係る発明は、上記請求項１乃至請求項３のいずれか１項に係る計量容器において、前記容器部Ａの底板１上面又は／及び蓋部Ｃの天板３１下面の半円中心Ｏに支軸部１１を備え、計量取出回転部Ｂの中心部に前記支軸部１１を嵌挿する軸受孔２２を備えることを特徴とする計量容器である。
【０００９】
【発明の実施の形態】
本発明の計量容器の実施の形態を、図１の組み立て斜視図に基づいて以下に詳細に説明する。
【００１０】
本発明の計量容器は、図１に示すように、容器部Ａと、容器部Ａ内に装填される計量取出回転部Ｂと、容器部Ａを施蓋する蓋部Ｃとから構成されている。
【００１１】
容器部Ａは、矩形状部とその一辺に半円形状部とを備えた底板１を備え、その底板１面上の矩形状部の周端に沿って三方の側壁板２、３、４が立設し、また、底板１面上の半円形状部の周端に沿って、三方の側壁板２、３、４のうちの側壁板２に連続して円弧状側壁板５が立設していて、側壁板４と円弧状側壁板５との間には、半円形状部の１／２周分（全円周の１／４周分）の切欠部７ａが設けてある。
【００１２】
また、容器部Ａは、前記三方の側壁板２、３、４のうちの対向する一対の側壁板２、４の内側から三方の側壁板２、３、４によって囲まれた領域内より外側に向かって、ハの字型（テーパー状）に狭幅の開口部６ａを設けて側壁板６、６が立設していて、略五角形状収納室７が形成されている。
【００１３】
また、容器部Ａの前記底板１面上の矩形状部には、前記略五角形状収納室７の外側に隣接して、半円形状部の半円中心を中心Ｏとして、前記円弧状側壁板５に面一に連続して円形状側壁板８が立設しており、前記テーパー状の側壁板６、６による狭幅の開口部６ａにて前記収納室７と連通する円形状装填室９を備えている。
【００１４】
このように容器部Ａは、テーパー状の側壁板６、６による狭幅の開口部６ａによって互いに連通した略五角形状収納室７と円形状装填室９とを備えている。
【００１５】
計量取出回転部Ｂは、図１に示すように、回転中心Ｏを円中心とする円形体２１であり、円形体２１の回転中心Ｏを挟んで相対位置に定量取り出し用切欠部２４（Ｕ字状の切欠部）と回転用摘み部２５とを備えており、前記容器部Ａの円形状装填室９内に回転用摘み部２５を前記切欠部７ａ内に嵌装するとともに、回転中心Ｏにて回転可能に装填される。
【００１６】
蓋部Ｃは、図１に示すように、前記底板１と同一形状の天板３１面下の矩形状部の周端に沿って、三方の側壁板３２、３３、３４が立設していて、該天板３１面下の半円形状部の周端に沿って、側壁板３２に連続して円弧状側壁板３５が立設していて、側壁板３４と円弧状側壁板３５との間には、半円形状部の１／２周分（全円周の１／４周分）の切欠部３５ａが設けてあり、また、蓋部Ｃの天板３１の矩形状部と半円形状部との間には、取出孔部３６が貫設している。
【００１７】
容器部Ａを蓋部Ｃにて施蓋する際は、容器部Ａの三方側壁板２、３、４と円弧状側壁部５の外面と、蓋部Ｃの三方側壁板３２、３３、３４と円弧状側壁部３５の内面とを密に摺接させて施蓋する。
【００１８】
また、本発明の計量容器は、例えば、前記容器部Ａのそれぞれ側壁板２、３、４、５のうちのいずれかの側壁板の外面に施蓋係止用の係止突起部１０を設け、該側壁板の外面に対応する蓋部Ｃの側壁板３２、３３、３４、３５の内面には施蓋係止用の係止凹部３９を設けて、容器部Ａの側壁部の外面と、蓋部Ｃの側壁板の内面とを摺接させて施蓋し、係止突起部１０と係止凹部３９とを嵌合して、開蓋可能に係止することができる。
【００１９】
また、本発明の計量容器は、前記容器部Ａの底板１と円弧状側壁板５と円形状側壁板８と蓋部Ｃの天板３１とにより形成される円形状装填室９と、該円形状装填室９内に装填される計量取出回転部Ｂとの回転摺接界面に、回転停止用の凹凸係合部を設けることができる。
【００２０】
例えば、図１に示すように、計量取出回転部Ｂには、その回転中心Ｏから所定半径と回転角度θ＝４５°を以て離れた２個所に回転停止用の凹部２３、２３を設け、蓋部Ｃの天板３１内面側の半円形状部及びそれと隣接する矩形状部における前記回転部Ｂの回転円領域内に、前記凹部２３、２３と係合する回転停止用の突起部３７を設けることにより、回転部Ｂを摘み部２５にて４５°の回転角度にて回転させて、それぞれ回転終点位置で停止させた際に、その位置にて一旦、係止ロックさせることができる。
【００２１】
本発明の計量容器は、図１に示すように容器部Ａと、容器部Ａ内に装填される計量取出回転部Ｂと、容器部Ａを施蓋する蓋部Ｃとから構成され、それぞれは、例えばプラスチックにより成形されていて、容器部Ａの略五角形状収納室７内に粒状物や粉体等の定量取り出し用の内容物を収納し、円形状装填室９内に回転部Ｂを装填して、容器部Ａを蓋部Ｃにて施蓋することにより組み立てられ、図２（ａ）に示すような本発明の計量容器が形成され、図２（ｂ）に示すように回転部Ｂは切欠部７ａ、３５ａから突出する摘み部２５にて回転角度θ＝４５°にて回転させることができる。なお、容器部Ａは、必要に応じて底板１の外周端部を側壁板２、３、４、５より外側に、蓋部Ｃの各側壁板３２、３３、３４、３５の厚さ分だけ張り出してフランジ部１ａを設けてもよい。
【００２２】
図３（ａ）〜（ｂ）は、本発明の計量容器の内部を説明する上面図であり、図３（ａ）は取出孔部３６を閉鎖した状態、図３（ｂ）は取出孔部３６を開放した状態を示し、図３（ａ）に示す閉鎖状態において、略五角形状収納室７内に収納されている粒状物や粉体等の定量取り出し用の内容物Ｄは計量用切欠部２４内に充填されて、図３（ｂ）に示すように回転部Ｂを摘み部２５にて回転角度θ＝４５°回転させ、計量切欠部２４及び計量切欠部２４内の一定量の内容物Ｄを、取出孔部３６の位置に整合させることにより、計量切欠部２４内に一定量保持されている内容物Ｄを取出孔部３６から取り出すことができる。
【００２３】
本発明の計量容器内の円形状装填室９内に装填される計量取出回転部Ｂは、支軸を介して容器部Ａと蓋部Ｃとの間に回転可能に装填されていてもよいし、あるいは、計量取出回転部Ｂは、その外周面を円形状装填室９の円形側壁板８の内周面にて摺接保持させることにより、支軸を省略して回転可能に装填されていてもよい。
【００２４】
例えば、回転部Ｂを支軸を介して容器部Ａと蓋部Ｃとの間に回転可能に装填する場合には、図１に示すように、前記容器部Ａの底板１上面の半円中心Ｏに支軸部１１、又は／及び、蓋部Ｃの天板３１下面の半円中心Ｏに支軸部３８を設け、回転部Ｂの回転中心部Ｏに前記支軸部１１を嵌挿する軸受孔２２を設けて、該支軸部１１を軸受孔２２に軸支することにより、回転部Ｂを回転可能に装填する。
【００２５】
【発明の効果】
本発明の計量容器は、ヒンジ開閉式やスライド開閉式の計量容器のようなヒンジ開閉回転やスライド開閉移動による容器取出口の開閉動作とは異なり、少ない手指の運動量にて手軽に取出口の開閉操作や定量取り出し操作ができ、使用時に一定量の物品のみを取り出すことができ、物品を取り出し過ぎて物品を無駄に使ってしまったり、取り出した物品をまた容器内に戻すなどの無駄な操作が不要になり、容易な操作によって確実に一定量の物品を取り出すことができる計量容器を提供できるものである。
【図面の簡単な説明】
【図１】本発明の計量容器を説明する組み立て斜視図。
【図２】（ａ）は本発明の計量容器の取出孔を閉鎖した状態の外観斜視図、（ｂ）は開放した状態の外観斜視図。
【図３】（ａ）は本発明の計量容器の取出孔を閉鎖した状態の容器内部を説明する上面図、（ｂ）は開放した状態の容器内部を説明する上面図。
【符号の説明】
Ａ…容器部  Ｂ…計量取出回転部  Ｃ…蓋部  Ｏ…回転中心
１…底板  ２、３、４、５、６…側壁板  ６ａ…開口部  ７…収納室
７ａ…切欠部  ８…円形側壁板  ９…円形状装填室
１０…係合突起部  １１…回転支軸
２１…円形体  ２２…軸受孔  ２３…停止用係止凹部  ２４…切欠部
２５…回転用摘み部
３１…天板  ３２、３３、３４、３５…側壁板  ３５ａ…切欠部
３６…取出孔部  ３７…停止用係止突起部  ３８…支軸  ３９…係止用凹部
【図１】
2004359316.tif 000003
【図２】
2004359316.tif 000004
【図３】
2004359316.tif 000005